(57)【要約】【課題】  視覚障害者や老人などが紙幣を財布から取り出すときに視覚以外の方法で確実に紙幣の識別を可能にした紙幣識別機能を有した財布を提供することを目的とする。【解決手段】  財布の紙幣収納部の少なくとも紙幣の一面側に紙幣読取部を設け、この紙幣読取部から読み取った画像データにより紙幣の識別判定を行い、この判定部の判定結果に基づき紙幣の識別情報を音声により出力する音声出力部を設けて、紙幣の識別を行いながら紙幣の出し入れを行える。【選択図】図１
2015196078.tif 000002
【特許請求の範囲】
【請求項１】
長方形状の複数種の紙幣を収納する紙幣収納部と、この紙幣収納部に収納した紙幣の種類を識別する紙幣識別部を一体にした財布であって、
前記紙幣収納部には、
紙幣の挿入先頭部の突き当てをする、先頭突当辺部と、
この先頭突当部と少なくとも一辺側の隣り合う辺からなる側部突当部と、
前記先頭突当部の反対側に紙幣の一辺側を開閉可能にした紙幣出入部とを設け、
前記紙幣識別部には、
前記紙幣収納部の少なくとも紙幣の一面側に位置し、紙幣の所定位置の画像を読み取  る少なくとも一以上の紙幣読取部と、
所定位置に設けられたスイッチの入力により、前記紙幣読取部からの読み取った画像  データを受け、紙幣の識別判定を行う判定部と、
この判定部の判定結果に基づき紙幣の識別情報を音声により出力する音声出力部を設  けてなることを特徴とする幣識別機能を有する財布。
【請求項２】
前記紙幣出入部は、長方形状の紙幣の短辺側に設けたことを特徴とする前記請求項１  記載の財布。
【請求項３】
前記紙幣収納部と、前記紙幣識別部は、前記紙幣出入部側が開閉可能となるように、  前記紙幣出入部と反対側にヒンジ部を設けてなることを特徴とする前記請求項１乃至２  記載の財布。
【発明の詳細な説明】
【技術分野】
【０００１】  本発明は、紙幣を一時的に保管に取り出しに使用する財布であって、さらに紙幣を取り出す際に紙幣の識別機能を有する財布に関するものである。
【背景技術】
【０００２】  紙幣を収納した財布や紙幣を一時的に保管したケースなどの紙幣収納用財布は、必ず紙幣を取り出すことになる。その際、視覚障害者や老人などは、紙幣の識別に支障をきたしている。【０００３】  財布に紙幣の真贋判定機能を備えたものとして、例えば特許文献１等で開示されている技術が知られている。財布に紙幣の真贋判定のための波長（例えば４３０ｎｍ〜４８８ｎｍ）の青色ＬＥＤと紫外線を含む照射光を照射できる照射具を財布に取り付けたものが開示されている。これにより、紙幣に照射光をあてることにより、照射光に反応する文様を目視により判定できるというものである。【０００４】  さらに、ＬＥＤ照射光を照射する際、紙幣の真贋判定に容易となるために必要な照射光が０度〜３０度を得るための特許文献２では、財布における紙幣の収納縁にＬＥＤ照射具を備えたものが開示されている。【０００５】  しかしながら本願発明の目的は、視覚障害者や老人などは、そもそも目視による確認が困難なため、上記特許文献本１、２のおける紙幣真贋方法自体が、採用できない。
【先行技術文献】
【特許文献】
【０００６】
【特許文献１】特開２００６−２８０８７３号公報
【特許文献２】特開２００７−２２２５７１号公報
【発明の概要】
【発明が解決しようとする課題】
【０００７】  視覚障害者や老人などは、紙幣の識別に支障をきたしているため、紙幣の支払いや受け取りに際して、視覚以外の方法で何らかの確認ができることが望ましい。特に本発明では、紙幣を財布から取り出すときに確実に紙幣の識別を可能にした財布を提供することを目的とするものである。
【課題を解決するための手段】
【０００８】  本発明は上記に鑑みて提案されたもので、本発明の財布は請求項１において、まず長方形状の複数種の紙幣を収納する紙幣収納部と、この紙幣収納部に収納した紙幣の種類を識別する紙幣識別部を一体にしたものであって、
紙幣収納部には、紙幣の挿入先頭部の突き当てをする先頭突当辺部と、この先頭突当部と少なくとも一辺側の隣り合う辺からなる側部突当部と、先頭突当部の反対側に紙幣の一辺側を開閉可能にした紙幣出入部とを設け、
さらに紙幣識別部には、紙幣収納部の少なくとも紙幣の一面側に位置し、紙幣の所定位置の画像を読み取る少なくとも一以上の紙幣読取部と、所定位置に設けられたスイッチの入力により、紙幣読取部からの読み取った画像データを受け、紙幣の識別判定を行う判定部と、この判定部の判定結果に基づき紙幣の識別情報を音声により出力する音声出力部を設けてなるものである。【０００９】  請求項２において、特に紙幣出入部は、長方形状の紙幣の短辺側に設けたことにより、紙幣の識別を容易にしている。【００１０】  さらに請求項３において、紙幣収納部と、紙幣識別部は、紙幣出入部側が開閉可能となるように、紙幣出入部と反対側にヒンジ部を設けて紙幣の収納を容易にしている。
【発明の効果】
【００１１】  請求項１においては、紙幣が複数枚重ねられて収納された紙幣の最上面、すなわち取り出そうとする紙幣の識別ができる。すなわち紙幣収納部内で識別して紙幣を出せることになるので、利用者は安心して取り出せる。【００１２】  また、現行の紙幣は、縦のサイズが７６ｍｍと定められており、一万円、五千円、二千円、千円の順で長さが１６０ｍｍ、１５６ｍｍ、１５４ｍｍ、１５０ｍｍとなっている。そのため請求項２で構成される紙幣出入部が長方形状の紙幣の短辺側に設けられていることで、紙幣が収納される時、又は収納時に紙幣は紙幣収納部の先頭突当部に当たり、紙幣識別部による紙幣画像を確実に認識できるようになる。【００１３】  さらに請求項３に示したように紙幣を収納する際、又は紙幣を取り出す際も紙幣収納部と、紙幣識別部は、紙幣出入部側が開閉可能となっているので、さらに紙幣の出し入れを容易にしたり、メンテナンスの利便を図っている。
【図面の簡単な説明】
【００１４】
【図１】  本発明の紙幣識別機能を有する財布の平面説明図。
【図２】  図１に於けるＸ−Ｘ線断面説明図。
【図３】  本発明の紙幣識別機能の使用状態説明図。
【図４】  本発明の紙幣識別機能における紙幣収納部と紙幣識別部開閉状態説明図。
【図５】  本発明の紙幣識別機能におけるブロック説明図。
【図６】  本発明で使用される紙幣の説明図。
【発明を実施するための形態】
【００１５】    本発明の紙幣識別機能を有する財布１を図面に基づいて説明する。まず図１、２に示すように本発明の紙幣識別機能を有する財布１は、下部に設けた紙幣収納部３とその上部の紙幣識別部４で構成されている。そして財布としての紙幣２を収納する紙幣収納部３は、紙幣出入部７から入れた紙幣２が挿入されて、先頭突当辺部５に突き当たるようにして収納される。また、この紙幣収納部３の幅は、７７ｍｍに設定されている。すなわち、図６に示したように現行紙幣２の縦サイズが全て７６ｍｍであるため、側部突当部６の幅は、あそび考慮して７７ｍｍ以上のサイズで設定されている。本実施例では、７７ｍｍにしている。
【００１６】  ７は、紙幣出入部であって、紙幣出入カバー９が、紙幣出入カバーヒンジ部８を支点にして回動して開閉できるようになっている。紙幣２は、この紙幣出入カバー９を開いて、出し入れされる。
【００１７】  一方、紙幣識別部４には、紙幣収納部３の少なくとも紙幣の一面側（図中上部）に位置し、紙幣２の所定位置の画像を読み取る少なくとも一以上の紙幣読取部１１と、所定位置に設けられたスイッチ１９の入力により、紙幣読取部１１からの読み取った画像データを受け、紙幣の識別判定を行う判定部１２と、この判定部１２の判定結果に基づき紙幣の識別情報を音声により出力する音声出力部１３を設けてなるものである。本実施例では、内部スピーカーの他、イヤホンで利用者が確認できるようにイヤホンジャックが設けられている。
【００１８】  次に、使用状態を説明する。図３に示したように、紙幣を収納する際は、図中左上から斜め下に滑らすようにして収納し、先頭突当辺部５に突き当たるようにして収納される。また引き出すときにも一番上にある紙幣を滑らすようにして引き出し、簡単に取り出すことができる。収納が終了した際は、そのあと使用者が識別スイッチとなるスイッチ１９を押下することにより、収納した紙幣２の種類を知りことができる。また、紙幣２の取り出しの際は、取り出す前に使用者が識別スイッチとなるスイッチ１９を押下することにより、取り出そうとした紙幣２の種類を簡単に知ることができる。
【００１９】  また、本発明の財布１は、紙幣２が、折れ曲がっていたり、ジャミングなどスムーズな収納ができない場合に、図４に示されるように紙幣収納部３と、紙幣識別部４は、紙幣出入部７側が開閉可能となるように、紙幣出入部７と反対側にヒンジ部２８を設けて紙幣の収納又は取り出しを容易にしている。
【００２０】  尚、本発明による紙幣識別機能を有した財布１における実施例において、紙幣出入部７を長方形状の紙幣２の短辺側に設けたが、本発明はこの構成に限定されるものではなく、紙幣出入部７を長方形状の紙幣２の長辺側に設けてもよい。
【００２１】  このように本発明による紙幣識別機能を有した財布１における紙幣出入部７を長方形状の紙幣の短辺側に設けたことにより、前述したとおり紙幣２が収納される際に先頭突当辺部５に突き当たり、紙幣読取部１１が確実に紙幣の画像読み取り位置を特定することができるという効果とともに、使用者が熟練してくると、紙幣の長さで収納した紙幣２終端部で、紙幣の識別もできるようになり、財布の機能と重複して紙幣識別ができるようになる。
【００２２】  また、請求項１において「先頭突当部５と少なくとも一辺側の隣り合う辺からなる側部突当部６」としたのは、側部突当部６の幅は、紙幣２も縦サイズが７６ｍｍなので、あそびを考慮に入れると１ｍｍ〜２ｍｍくらいが限度となり、紙幣２の突当部としては、先頭突当部５と少なくとも直行する一辺側の側部突当部６とするＬ字状の突当部（先頭突当部５と一方の側部突当部６）で十分であるとの設計からである。画像読取制度のあそびとして１ｍｍ〜２ｍｍの許容があれば、Ｕ字状の突当部（先頭突当部５と対向する側部突当部６、６）で構成しても良い。
【産業上の利用可能性】
【００２３】  以上のように構成された本発明の紙幣識別機能付き財布によれば、単なる視覚障害者にかかわらず、高齢化して視覚機能が低下した場合でも、紙幣の出し入れの際に、随時紙幣の識別が行え、社会的ニーズに応えた商品として提供でき極めて有益なものとなる。
【符号の説明】
【００２４】１・・・紙幣識別機能付き財布
２・・・紙幣
３・・・紙幣収納部
４・・・紙幣識別部
５・・・先頭突当辺部
６・・・側部突当部
７・・・紙幣出入部
８・・・紙幣出入カバーヒンジ部
９・・・紙幣出入カバー
１０・・・電源供給部
１１・・・紙幣読取部
１２・・・判定部
１３・・・音声出力部
１４・・・電源供給部
１５・・・制御部
１６・・・記憶部
１７・・・音声出力部
１８・・・切替スイッチ
１９・・・スイッチ
【図１】
2015196078.tif 000003
【図２】
2015196078.tif 000004
【図３】
2015196078.tif 000005
【図４】
2015196078.tif 000006
【図５】
2015196078.tif 000007
【図６】
2015196078.tif 000008